(57)【要約】【課題】ドキュメントへのアクセスを監視し、ログを記録することを可能とするプリントされたドキュメントを安全に保管するための改良された方法を提供すること。【解決手段】電子ペーパ２０５に電力が供給され、セキュリティ層２３０を透明にすると共に、ドキュメント層２２０を受像可能にする。次に、画像が電子ペーパ２０５に投影され、ドキュメント層２２０への電力供給が遮断される。これによりドキュメント層２２０に画像を保持させる。次に、セキュリティ層２３０への電力供給が遮断され、セキュリティ層２３０を不透明な状態にする。セキュリティ層２３０が不透明なので、ドキュメント層２２０によって保持されている画像は見ることができなくなる。制御手段（セキュリティ回路）は、正しいセキュリティコードが入力された場合にのみ、セキュリティ層２３０に電力が供給する。セキュリティコードはキーに保存され、正しいキーを持っている人だけが、ドキュメントを閲覧することができる。【選択図】図２
2008139876.tif 000002
【特許請求の範囲】
【請求項１】
ドキュメントを安全に保管するドキュメント保管装置であって、
少なくとも一方が透明である二つの電極層間に挟持されたセキュリティ層の積層体であり、前記セキュリティ層が前記電極層を介して印加される電圧に応じて不透明状態又は透明状態のいずれかを呈すると共に、プリントされたドキュメントに固定され、前記セキュリティ層が前記不透明状態を呈する場合に、前記プリントされたドキュメントの記載内容を遮蔽する前記セキュリティ層の積層体と、
前記装置によって適正なコードが受け取られた場合にのみ、前記セキュリティ層が不透明状態又は透明状態の一方を呈するように、電圧の印加を行うことを許可する制御手段と、
を含むドキュメント保管装置。
【請求項２】
前記積層体と共にスリーブを形成する背面層を更に含み、前記プリントされたドキュメントを前記積層体と前記背面層との間への挿入することを可能とした、請求項１に記載のドキュメント保管装置。
【請求項３】
物理的な改ざんを行わずに前記プリントされたドキュメントが除去されることを防止するために、前記積層体が前記背面層へ物理的に固着された、請求項２に記載のドキュメント保管装置。
【請求項４】
前記適正なコードが付与された場合に、前記制御手段は、所定領域のみに関して前記電極を介して電圧を印加することを許可して、前記所定領域のみに関して前記セキュリティ層に前記透明状態を呈示させる、請求項１に記載のドキュメント保管装置。
【請求項５】
電源に接続された時に投影された画像を記録すると共に、前記電源を遮断した後も前記画像を保持することが可能な電子ペーパ層を更に含む、請求項１に記載のドキュメント保管装置。
【請求項６】
前記電子ペーパが、前記積層体と一体的に形成される、請求項５に記載のドキュメント保管装置。
【請求項７】
物理的な改ざんを行わずに前記電子ペーパと前記積層体とが分離されることを防止するために、前記電子ペーパが前記積層体に固定される、請求項５に記載のドキュメント保管装置。
【請求項８】
物理的な改ざんを行わずに前記電子ペーパと前記積層体とが分離されることを防止するために、前記電子ペーパが前記積層体に接着される、請求項５に記載のドキュメント保管装置。
【請求項９】
前記制御手段は、下記（１）〜（３）の動作の一つ又はこれらの任意の組合せを提供するように更に機能する、請求項１に記載のドキュメント保管装置。
（１）前記セキュリティ層の前記透明状態の呈示が予め認められた領域へ電極を印加することを可能とすること
（２）前記ドキュメントのドキュメントメタデータを記憶すること
（３）アクセス情報を記憶すること
【請求項１０】
前記メタデータは、ドキュメントのシリアル番号、ドキュメントのセキュリティレベル、及び作成日の一つ又はこれらの組合せを含む、請求項９に記載のドキュメント保管装置。
【請求項１１】
前記アクセス情報は、アクセスタイム及びアクセスキーＩＤの一つ又はこれらの組合せを含む、請求項９に記載のドキュメント保管装置。
【請求項１２】
前記電圧の印加を制御するスイッチ信号が入力され、前記スイッチ信号が、電気的信号又は光学的信号である、請求項１に記載のドキュメント保管装置。
【請求項１３】
プリントされたドキュメントを安全に保管するためのドキュメント保管システムであって、
セキュリティフィルム、電子ペーパフィルム、及び制御手段を含むセキュリティ電子ペーパであって、前記セキュリティフィルムは、該セキュリティフィルムに設けられた電極を介して印加される電圧に応じて不透明状態又は透明状態のいずれかを呈示し、前記制御手段は、適正なコードが入力された場合にのみ、前記電極を介して前記電圧の印加を許可し、前記電子ペーパフィルムは、電源に接続された時に投影される画像を記録するように作成されると共に前記電源を遮断された後も該画像を保持することができる、前記セキュリティ電子ペーパと、
前記電子ペーパ上に画像をプリントするために前記電子ペーパに電圧を印加するように構成された画像プリンタと、
前記適正なコードを記憶すると共に、前記セキュリティフィルムに前記透明状態を呈示させるために、前記セキュリティフィルムに前記適正なコードを付与するように構成されたコードキーと、
を含むドキュメント保管システム。
【請求項１４】
前記セキュリティ電子ペーパのシリアル番号と対応コードとを記憶しているサーバを更に含む、請求項１３に記載のドキュメント保管システム。
【請求項１５】
前記サーバが、任意の前記セキュリティ電子ペーパの各アクセスに関するアクセスタイムとアクセスキーＩＤとを更に記憶している、請求項１４に記載のドキュメント保管システム。
【請求項１６】
印刷物を安全に保管する印刷物保管方法であって、
印刷物をセキュリティフィルムに物理的に封止し、前記セキュリティフィルムが、前記セキュリティフィルムに設けられた電極を介して印加される電圧に応じて、不透明状態又は透明状態のいずれかを呈示するステップと、
前記印刷物の少なくとも一部を遮蔽するように、前記セキュリティフィルムに、前記不透明状態を呈示させるステップと、
前記セキュリティフィルムへのセキュリティキー入力を監視し、前記セキュリティキーが予め割り当てられたコードに一致した場合にのみ、前記電極を介して前記セキュリティフィルムに電圧を印加させるステップと、
を含む印刷物保管方法。
【請求項１７】
セキュリティキーが入力された場合に常にアクセス情報を記録するステップを更に含む、請求項１６に記載の印刷物保管方法。
【請求項１８】
前記アクセス情報が、少なくともアクセスタイムとアクセスキーとを含む、請求項１７に記載の印刷物保管方法。
【請求項１９】
窓部と枠部を含む平坦なシート状基体であって、前記窓部が、少なくとも一方が透明である二つの電極層間に挟持されたセキュリティ層の多層膜であり、前記セキュリティ層が前記電極層を介して印加される電圧に応じて不透明状態又は透明状態のいずれかを呈する平坦なシート状基体と、
前記枠部に設けられた接触パッドと、
前記枠部内に設けられると共に前記接触パッドに連結され、前記接触パッドを介して適正なコードが入力された場合にのみ、前記電極層を介して電圧を印加することを許可する制御手段と、
を含む薄型フィルム装置。
【請求項２０】
前記セキュリティ層が前記透明状態を呈示する場合にのみ、前記ドキュメントが閲覧され得るように、前記シート状基体内にドキュメントを物理的に封止するための封止手段を更に含む、請求項１９に記載の薄型フィルム装置。
【請求項２１】
前記シート状基体が、電源に接続された時に投影された画像を記録すると共に、前記電源を遮断した後でも該画像を保持することができる電子ペーパ層を更に含む、請求項１９に記載の薄型フィルム装置。
【請求項２２】
前記制御手段がプリントされたポリマー電子回路を含む、請求項１９に記載の薄型フィルム装置。
【発明の詳細な説明】
【技術分野】
【０００１】
本発明は、プリントされた媒体を安全に保管するとともに、該媒体へのアクセスを制御する技術に関する。即ち、ドキュメント保管装置、ドキュメント保管システム、印刷物保管方法、及び薄型フィルム装置に関する。
【背景技術】
【０００２】
ＨＩＰＰＡ（米国ヘルスケア産業と保険会社の保持する個人情報の保護法）、ＧＬＢ(Gramm-Leach Bliley法：米国金融機関が保持する個人情報の保護法)、Sarbanes-Oxley（米国の企業改革法）等、種々の政治的な規制を完全に遵守するには、（ペーパドキュメントを含む）多数のドキュメントの維持が必要とされる。例えば、Sarbanes-Oxley法の第１０３条（ａ）項、第１０４条（ｄ）項、第１０４条（ｅ）項、及び第１０５条（ｂ）項は、全て、ドキュメント（ペーパドキュメントを含む）の保管と検索に関するものである。第１０５条（ｂ）項は、これらのドキュメントは、機密性と安全性とが保持されなければならないと述べている。更に、第８０２条（ａ）項は、ドキュメントはいかなることがあっても変更されてはならないと述べている。
【０００３】
ディジタルドキュメントの技術分野においては、ディジタルドキュメントに対しセキュリティ（機密性と安全性の確保）とアクセス制御とを提供する多数の方法がある。一般的に利用可能な方法としては、パスワードの要求、ドキュメントの暗号化、その他がある。しかしながら、ペーパドキュメントなどの印刷物（printed matter）を安全に保管するために利用できる方法はあまり多くない。従来、これらのドキュメントは、単に、施錠された金庫、引き出し、室内などに置かれていた。また、プリントされたドキュメントは、封筒内に封印（シール）されることもある。
【０００４】
印刷物を安全に保管する従来の方法には、少なくとも二つの欠点がある。第１に、ドキュメントを何時、誰が閲覧（view）したかを追跡するための安全な方法が提供されていない。ドキュメントの閲覧を追跡するために閲覧記録帳（ログブック）が使用されてもよいが、全ての閲覧が実際にログブックに記録されることを確実に行う方法はない。第２に、ドキュメントが封印される場合には、この封印は閲覧毎に壊さなければならず、閲覧後は他の封印を用いる必要がある。
【０００５】
【非特許文献１】ドクター、ピーター・ハロップ著、「ついにやってきた電子プリントの時代」、プリンティングインプレッション、http://www.piworld.com/story/print.bsp?sid=35012&var=story、初回視聴、２００６年８月２２日、ｐ３
【非特許文献２】Ｈ．アリサワ、Ｋ．シゲヒロ著、「光書き込み可能な電子ペーパトナーディスプレイ」（日本、神奈川県、海老名市）、ディジタルプリント技術に関する国際会議、２００４年、ＩＳ＆Ｔ  ＮＩＰ１７−２２８
【非特許文献３】Ｈ．コバヤシら著、「電荷発生材料としてヒドロキシガリウムフタロシアニンを用いた有機光導電体を用いた新しい光書き込み可能な電子ペーパ」（日本、海老名）、（株）富士ゼロックス、ｐ２
【非特許文献４】Ｈ．アリサワら著、「コレステリック液晶を用いた光書き込み可能な電子ペーパ」（日本、神奈川県、海老名市）、（株）富士ゼロックス、ｐ４
【非特許文献５】Ｔ．カキヌマら著、「カプセルに封入されたコレステリック液晶と有機光導電体を用いたブラック＆ホワイトの光書き込み可能な電子ペーパ」（日本、神奈川県、海老名市）、（株）富士ゼロックス、ドキュメントプロダクトカンパニー、研究開発センター、ｐ４
【非特許文献６】Ｓ．ヤマモトら著、「コレステリック液晶マイクロカプセルと有機光導電体を用いた新しい光書き込み可能な電子ペーパ」（日本、海老名）、（株）富士ゼロックス、ｐ４
【非特許文献７】ドクター、ウルフギャング・クレメンス著、「電子プリントの発明」（フィンランド、ヘルシンキ）、プリントセミナー、ＴＥＫＥＳ−ＶＴＴ、ポリＩＣ、ザ・チッププリンタ、２００５年２月２日、３５ｐ
【発明の開示】
【発明が解決しようとする課題】
【０００６】
従って、好ましくは、ドキュメントへのアクセスを監視し、記録することを可能とする、プリントされたドキュメントを安全に保管するための改良された方法が当技術分野において必要とされている。即ち、本発明の目的は、ドキュメントを安全に保管することができる、ドキュメント保管装置、ドキュメント保管システム、印刷物保管方法、及び薄型フィルム装置を提供することにある。
【課題を解決するための手段】
【０００７】
本発明は、プリントされたドキュメントを安全に保管し、該ドキュメントへのアクセスを監視することを可能とする方法及び装置について記載する。本発明の種々の態様は、適正なキー（正キー）を装着しない限りは読み出せないように、ペーパドキュメントと電子ペーパドキュメントの安全な保管を可能とする。このように安全に保管されたプリントドキュメントは、適正なキーが装着されるまで、完全に又は部分的に遮蔽される。キーのセキュリティ（安全）レベルに応じて、ページの全て又は部分へのアクセスが認められる。キーは、その使用中において、セキュリティデバイスや電子ペーパへ電力を供給することもできる小型デバイスである。従来のドキュメントに新しいセキュリティ層を追加することで、本発明の有用性が拡がり、ドキュメントの安全な保存及び輸送がより簡単になる。
【０００８】
本発明の態様を用いることは、ファイルの正当と認められた閲覧がセキュリティシールを破壊せずに行われるという点で、任意の暗号化された電子ファイルを使用することと非常に良く似ている。閲覧される安全に保管されたドキュメントは、正当な閲覧の度毎に再封印する必要がない。更に、本発明の態様によれば、多くのディジタルファイルの暗号化方法と同様に、各閲覧は中央監視システムへ自動的に記録され得る。
【０００９】
請求項１に記載された発明は、ドキュメントを安全に保管するドキュメント保管装置であって、少なくとも一方が透明である二つの電極層間に挟持されたセキュリティ層の積層体（layered arrangement）であり、前記セキュリティ層が前記電極層を介して印加される電圧に応じて不透明状態又は透明状態のいずれかを呈すると共に、プリントされたドキュメントに固定され、前記セキュリティ層が前記不透明状態を呈する場合に、前記プリントされたドキュメントの記載内容（printed matter）を遮蔽（obscure）する前記セキュリティ層の積層体と、前記装置によって適正なコードが受け取られた場合にのみ、前記セキュリティ層が不透明状態又は透明状態の一方を呈するように、電圧の印加を行うことを許可する制御手段（例えば、コーディング回路やセキュリティ回路）と、を含むことを特徴とする。
【００１０】
該装置は、前記積層体と共にスリーブを形成する背面層を更に含み、前記プリントされたドキュメントの前記積層体と前記背面層との間への挿入を可能とすることができる。該装置は、物理的な改ざんを行わずに前記プリントされたドキュメントが除去されることを防止するために、前記積層体が前記背面層へ物理的に固着されていてもよい。該装置は、前記適正なコードが付与された場合に、前記制御手段は、所定領域のみに関して前記電極を介して電圧を印加することを許可して、前記所定領域のみに関して前記セキュリティ層に前記透明状態を呈示させるように構成することができる。
【００１１】
該装置は、電源に接続された時に投影された画像を記録すると共に、前記電源を遮断した後も前記画像を保持することが可能な電子ペーパ層を更に含んでいてもよい。該装置は、物理的な改ざんを行わずに前記電子ペーパと前記積層体とが分離されることを防止するために、前記電子ペーパが、前記積層体と一体的に形成されていてもよい。該装置は、物理的な改ざんを行わずに前記電子ペーパと前記積層体とが分離されることを防止するために、前記電子ペーパが前記積層体に固定されていてもよい。該装置は、物理的な改ざんを行わずに前記電子ペーパと前記積層体とが分離されることを防止するために、前記電子ペーパが前記積層体に接着されていてもよい。
【００１２】
該装置は、前記制御手段が、下記（１）〜（３）の動作の一つ又はこれらの任意の組合せを提供するように更に機能するようにしてもよい。（１）前記セキュリティ層の前記透明状態の呈示が予め認められた領域へ電極を印加することを可能とすること、（２）前記ドキュメントのドキュメントメタデータを記憶すること、（３）アクセス情報を記憶すること。メタデータは、ドキュメントのシリアル番号、ドキュメントセキュリティレベル、及び作成日の一つ又はこれらの組合せを含むことができる。アクセス情報は、アクセスタイム及びアクセスキーＩＤの一つ又はこれらの組合せを含むことができる。
【００１３】
前記電圧の印加を制御するスイッチ信号が入力され、前記スイッチ信号が、電気的信号又は光学的信号とすることができる。前記スイッチ信号がセキュリティ層の照明を含んでいてもよい。
【００１４】
請求項１３に記載された発明は、プリントされたドキュメントを安全に保管するためのドキュメント保管システムであって、セキュリティフィルム、電子ペーパフィルム、及び制御手段を含むセキュリティ電子ペーパであって、前記セキュリティフィルムは、該セキュリティフィルムに設けられた電極を介して印加される電圧に応じて不透明状態又は透明状態のいずれかを呈示し、前記制御手段は、適正なコードが入力された場合にのみ、前記電極を介して前記電圧の印加を許可し、前記電子ペーパフィルムは、電源に接続された時に投影される画像を記録するように作成されると共に前記電源を遮断された後も該画像を保持することができる、前記セキュリティ電子ペーパと、前記電子ペーパ上に画像をプリントするために前記電子ペーパに電圧を印加するように構成された画像プリンタと、前記適正なコードを記憶すると共に、前記セキュリティフィルムに前記透明状態を呈示させるために、前記セキュリティフィルムに前記適正なコードを付与するように構成されたコードキーと、を含むことを特徴とする。
【００１５】
該システムは、前記セキュリティ電子ペーパのシリアル番号と対応コードとを記憶しているサーバを更に含むことができる。前記サーバが、任意の前記セキュリティ電子ペーパの各アクセスに関するアクセスタイムとアクセスキーＩＤとを更に記憶していてもよい。
【００１６】
請求項１６に記載された発明は、印刷物を安全に保管する印刷物保管方法であって、印刷物をセキュリティフィルムに物理的に封止し、前記セキュリティフィルムが、前記セキュリティフィルムに設けられた電極を介して印加される電圧に応じて、不透明状態又は透明状態のいずれかを呈示するステップと、前記印刷物の少なくとも一部を遮蔽するように、前記セキュリティフィルムに、前記不透明状態を呈示させるステップと、前記セキュリティフィルムへのセキュリティキー入力を監視し、前記セキュリティキーが予め割り当てられたコードに一致した場合にのみ、前記電極を介して前記セキュリティフィルムに電圧を印加させるステップと、を含むことを特徴とする。
【００１７】
該方法が、セキュリティキーが入力された場合に常にアクセス情報を記録するステップを更に含んでいてもよい。前記アクセス情報が、少なくともアクセスタイムとアクセスキーとを含んでいてもよい。
【００１８】
請求項１９に記載された発明は、窓部と枠部を含む平坦なシート状基体であって、前記窓部が、少なくとも一方が透明である二つの電極層間に挟持されたセキュリティ層の多層膜であり、前記セキュリティ層が前記電極層を介して印加される電圧に応じて不透明状態又は透明状態のいずれかを呈する平坦なシート状基体と、前記枠部に設けられた接触パッドと、前記枠部内に設けられると共に前記接触パッドに連結され、前記接触パッドを介して適正なコードが入力された場合にのみ、前記電極層を介して電圧を印加することを許可する制御手段と、を含む薄型フィルム装置であることを特徴とする。
【００１９】
該装置は、前記セキュリティ層が前記透明状態を呈示する場合にのみ、前記ドキュメントが閲覧され得るように、前記シート状基体内にドキュメントを物理的に封止するための封止手段を更に含んでいてもよい。前記シート状基体が、電源に接続された時に投影された画像を記録すると共に、前記電源を遮断した後でも該画像を保持することができる電子ペーパ層を更に含んでいてもよい。前記制御手段がプリントされたポリマー電子回路を含んでいてもよい。
【発明を実施するための最良の形態】
【００２０】
本発明に関する更なる態様は、以下にその一部が記載され、この記載によって部分的に明確となり、或いは、本発明を実施することによって本発明を知り得るところとなる。本発明の態様は、以下の詳細な説明及び添付されたクレームにおいて具体的に指摘されている種々の要素及び態様と要素との組合せによって実現され、達成され得る。
【００２１】
以上及び以下の説明はともに例示であり、いかなる場合もクレームされた発明やその出願を限定するものではないことが理解されよう。
【００２２】
本明細書に組み込まれ、本明細書を構成する添付図面は、本発明の実施の形態を例示し、その説明を伴って、本発明の技術の基本原理を説明し、図解する。
【００２３】
本発明は、従来からある積層（layering）技術を使用することで、従来のペーパドキュメントと電子ペーパドキュメントを安全に保管することを可能とする。以下、ペーパドキュメントは、ペーパドキュメントとも称する。本来、電子ペーパ技術は、本発明の主な譲受人である日本の富士ゼロックス株式会社によって開発されたものである。フォトアドレッサブルな（光入力によるアドレス指定可能なという意味であり、以下、「光書き込み可能な」という。）電子ペーパ技術は、電力が供給されると画像を生成するために光入力を受け入れ、媒体への電力供給が遮断された後もディスプレイに画像が保持される感光性媒体を提供する。
【００２４】
例えば、媒体に電力が供給され、レーザポインタを使用して電子ペーパに書き込みが行われた場合は、電力供給が遮断された後でも、その書き込みは電子ペーパ上に表示されたままである。同様に、例えば、電子ペーパに電力を供給し、ＬＣＤ（液晶表示装置）プロジェクタを用いて電子ペーパに画像が投影された場合は、電力供給が遮断された後でも、投影された画像が電子ペーパ上に表示されたままである。
【００２５】
電子ペーパには、二つの異なるタイプがあり、１つは後方からの光によって書き込まれるタイプであり、もう１つは前方からの光によって書き込まれるタイプである。この技術に関する詳しい情報については、非特許文献２〜６、及び米国特許出願第１１／２４３，６０３号を参照されたい。
【００２６】
上述した２つのタイプの電子ペーパはいずれも、電圧を印加することによって、不透明から透明へ又はその逆に切り替えられる層を含んでいる。例えば、富士ゼロックス社の光書き込み可能な電子ペーパは、多量の光の中で電圧を印加すると白くなり、暗闇で電圧を印加すると透明に変化する層を有する。他のタイプの電子ペーパもこのスイッチを備えることができる。例えば、トナーを用いた電子ペーパは、全てのトナー粒子が各セルの片側に吸着された時に不透明から透明へ変化する。電子湿潤型（エレクトロウェッティング）の電子ペーパは、粒子が水平方向に収縮すると略透明になる。
【００２７】
図１には概略的な表現でメカニズムが示されている。詳しい情報は、上記に引用された公報において参照することができる。図１に示されるように、この層は、少なくとも二つの状態１１０及び１２０を呈示する粒子１００（太い線で表示）を含む。他の実施態様では、これらの粒子は、中間の状態を呈示することもできるが、本発明の目的には、図示されたように二つの状態を取り得ることが最も重要である。粒子１００が状態１１０と呈示すると、矢印１３０によって示されるように、光は層を透過しないため、この層は黒く見える。しかしながら、粒子１００が状態１２０と呈示すると、矢印１４０によって示されるように、この層は透明となり、光が透過する。
【００２８】
本発明の実施の形態によれば、この特性は、印刷物を安全に保管するときに有効に活用される。種々の実施の形態によれば、このような層（以下、「セキュリティ層」という。）は、保管されるドキュメントの上方に設けられ、該ドキュメントの記載内容を遮蔽するために不透明な状態に設定される。所定の電圧が印加されると、セキュリティ層は透明状態に変化する。しかしながら、所定電圧は、セキュリティキーが存在している場合にのみ、セキュリティ層に印加される。このセキュリティキーは、電気的信号、光学的信号などの形態で提供され得る。
【００２９】
図２は、本発明の第一の実施の形態を示す断面図である。この第一の実施の形態は、安全な二層型の電子ペーパ（secure double-layer e-Paper）２０５として実施され得る。図２に示されるように、電子ペーパ２０５は、例えば、ポリエチレンテレフタレートフィルム（一般的に、ＰＥＴフィルムと呼ばれる）等のフィルム状のベース層２００を含む。また、以下では、電子ペーパ２０５を、二層型電子ペーパ（double-layer e-Paper）２０５、セキュア電子ペーパ（secure e-Paper）２０５と称する場合がある。
【００３０】
透明電極層２１０は、ベース層２００上に設けられる。透明電極層２１０は、例えば、一般的にＩＴＯ（Indium Tin Oxide）電極と呼ばれる酸化インジウム錫の層であってもよい。本明細書中において、種々の実施の形態を説明する際に、ＩＴＯ電極が使用されるが、所望される機能を実行する電極であれば、ＩＴＯ電極の代わりに任意の他の電極を使用してもよいことが理解されよう。
【００３１】
層２２０は、一般に、本明細書中においてドキュメント層と呼ばれる。ドキュメント層２２０は、該層に書き込まれる画像を記録し保持するように機能する層である。該ドキュメント層２２０の構成は、使用されている特定の電子ペーパ技術に依存している。例えば、ドキュメント層２２０は、（図示されていないが、下から上への順で）有機光伝導体（ＯＰＣ）層、吸収層、及びコレステリック液晶（ＣｈＬＣ）層を含む。また、ＯＰＣ層は、二つの電荷発生層の間に挟まれた電荷輸送層を含み得る。
【００３２】
次に、セキュリティ層２３０は、ドキュメント層上に設けられる。セキュリティ層２３０は、上述された電子ペーパ技術のいずれかを含むことができ、印加される電圧に応じて、層を不透明又は透明に変化させる。ここでは「二層型」電子ペーパと呼ばれる、ドキュメント層とセキュリティ層とが別々の層として形成された電子ペーパについて説明するが、一つの実施の形態によれば、セキュリティ層２３０を、ドキュメント層２２０と同じ層で構成することができる。セキュリティ層２３０とドキュメント層２２０とを同じ層とした場合には、セキュリティ層２３０から吸収層を省略してもよい。第２のＩＴＯ電極（透明電極層）２４０が、セキュリティ層２３０上に積層される。第２のＩＴＯ電極２４０は、他のベースフィルム層２５０で蓋をされるように覆われる。
【００３３】
図２に示されている実施の形態は、以下のように動作する。まず、電子ペーパ２０５に電力が供給され（energize）、セキュリティ層２３０を透明にすると共に、ドキュメント層２２０を受像可能にする。次に、画像が電子ペーパ２０５に投影され、ドキュメント層２２０への電力供給（power）が遮断される。これによって、ドキュメント層２２０に画像を保持させる。次に、セキュリティ層２３０への電力供給（power）が遮断され、これによって、セキュリティ層２３０を不透明な状態にする。
【００３４】
この段階では、セキュリティ層２３０が不透明なので、ドキュメント層２２０によって保持されている画像は見ることができなくなる。光の強度や電圧レベル等、適正な電力が供給され且つ適切なセキュリティ信号が入力された場合にのみ、セキュリティ層２３０は透明になる。しかしながら、制御手段（例えば、セキュリティ回路）は、正しいセキュリティコードが入力された場合にのみ、セキュリティ層２３０に電力が供給されるように設けられる。セキュリティコードは、図示しないキーに保存される。セキュリティ層２３０に電力を供給するためには、このキーが電子ペーパに接続されなければならない。結果的に、正しいキーを持っている人だけが、ドキュメントを閲覧することができる。
【００３５】
図２の二層型の電子ペーパはいくつかの変形例において実施され得る。一例によれば、複数の書き込みと複数の施錠（lock）は、以下のようにして可能とされる。ドキュメント層２２０及びセキュリティ層２３０に対する個々のコネクタが、電子ペーパに組み込まれる。ドキュメント層２２０は、従来の電子ペーパと同様にして書き込みが可能である。例えば、ドキュメント層２２０は、ＬＣＤプリンタ内に配置することによって書き込まれる。
【００３６】
セキュア電子ペーパ２０５を「施錠（lock：非開示）」するためには、キーデバイスが電子ペーパへ装着されている間に、明るい光の中でセキュリティ層２３０へ電圧が印加される。キーが装着されていない場合には、セキュリティ層２３０へ電圧が印加されないので何も発生しない。キーを装着した場合には、電圧が印加されるとキュリティ層２３０が不透明になり、ドキュメント２２０はセュリティ層２３０の下方にあるため、ドキュメント層２２０は見えなくなる。
【００３７】
セキュア電子ペーパ２０５を「開錠（unlock：開示）」するためには、キーの装着中に電圧を印加するが、この時、電子ペーパの表面は、暗闇の中に置かれなければならない。例えば、電子ペーパを何かで覆うことによって達成され得る。電圧の印加とキーとを組み合わせて、電源キー（power supply key）などの単一デバイスを形成してもよい。
【００３８】
他の実施の形態では、セキュア電子ペーパの単一の書き込み、複数の施錠の機能も可能となる。このような実施の形態においては、セキュリティ層２３０に接続されている電極だけに接続が可能である。ドキュメントは、通常のやり方で通常の電子ペーパに書き込みを行い、次に、書き込み済みの電子ペーパ２０５に、電極を覆う層と共にセキュリティ層２３０を装着することによって、生成される。このタイプの電子ペーパは、正しいキーを持っている人によってのみ読み出される、読み出し専用の「改ざん防止ドキュメント（tamper-proof document）」を提供する。
【００３９】
図３は、本発明の他の実施の形態を示す。図中、中間ＩＴＯ層３２５がドキュメント層３２０とセキュリティ層３３０との間に設けられている以外は、各層は、図２の実施の形態と同様に配置される。即ち、本実施の形態に係る２層型の電子ペーパは、フィルム状のベース層３００上に、透明電極層３１０、ドキュメント層３２０、ＩＴＯ層３２５、セキュリティ層３３０、第２のＩＴＯ電極３４０、及び他のベースフィルム層３５０が、ベース層３００側からこの順に積層されている。
【００４０】
中間ＩＴＯ層３２５は、破線３２６により図示されるように二層で構成されている。これによって、ドキュメントの書き込み及び保持部分とセキュリティ部分とが、完全に独立した構成が提供される。或いは、ベース層が、ＩＴＯ層３２５の二層間に設けられてもよい。このような構成においては、ドキュメント部分は別に書き込まれ、例えば、セキュリティ部分は、接着剤を用いるなど永久的に固定できる方法で、ドキュメント部分に付加される。即ち、最初は、電子ペーパとセキュリティ層とは二つの別個のシートとして提供される。一度、電子ペーパに書き込みが行なわれると、例えば、接着剤やヒートシール等を用いて、セキュリティ層が電子ペーパに永久的に付加される。
【００４１】
図４は、従来のプリントされたペーパドキュメントを含む他の実施の形態を示す。これは、電子ペーパと紙などの他の媒体との混成体（hybrid）として概念付けられ得る。セキュリティ層４３０を含む電子ペーパスリーブ（e-Paper sleeve）は、従来の電子ペーパではないドキュメントに、確実に取り付けることができる。このスリーブは永久的に装着され得る。或いは、スリーブからペーパドキュメントを取り外す時に、セキュリティシールが破壊されるように装着される。「施錠」には、セキュリティ層４３０を透明にするために同一タイプの電源キーが必要である。このような一例が、図４に示されている。
【００４２】
図４において、不透明な背面スリーブ材料４０２は、ストリップ状の（細長い）接着部４０４、ヒートシール、その他の手段を介して、ベース層４００に固着されている。これによって、背面スリーブ材料４０２とベース層４００との間に従来のペーパドキュメント４０６を保持するための「スリーブ」が形成される。以下では、セキュアスリーブ（secure sleeve）又はセキュリティスリーブ（security sleeve）と称する場合がある。ベース層４００上には、ＩＴＯ電極層４１０、セキュリティ層４３０、第２のＩＴＯ電極層４４０、及びベースフィルム層４５０が配置される。このように、従来のペーパドキュメントは、積層体を物理的に改ざんしない限り（明らかに）、或いは、正しいキーを装着してＩＴＯ電極への電力の供給を可能とし、セキュリティ層４３０を透明にしない限り、閲覧することはできない。
【００４３】
ドキュメント全体を遮蔽する代わりに、セキュリティ層は、常に透明である領域と、施錠及び開錠が可能な他の領域と、を含むことができる。例えば、セキュアスリーブは、スリーブの最上面を常に透明にし、そこに機密扱いではない識別情報を含むように作成され得る。このように、ドキュメントの同一性（identity：ＩＤ）は、キーの装着を必要とせずに、容易に解読され得る。
【００４４】
他の例としては、追加情報を施錠可能とする領域だけを有するセキュア電子ペーパに、標準的な契約書を予め書き込んでおくこともできる。施錠可能で透明な領域が特定のパターンで配置されたカスタムセキュリティスリーブは、顧客からの要求に応じて作製され得る。また、一対の電極で全ての施錠可能な領域を制御することができる。或いは、複数対の電極を用いて、例えばアクセス許可等に応じて、一部の領域を開錠すると共に、他の領域を施錠したままにしておくことができる。
【００４５】
予め設定された領域を遮蔽する代わりに、ユーザはページ内の特定の領域を選択して遮蔽することができる。この実施の形態においては、電源キーに加えて、消しゴムやハイライトマーカーといった基本形態要素（basic form factor）を有する入力デバイスが用いられる。即ち、入力デバイスは、キーが差し込まれている間に、ユーザが遮蔽したいとするドキュメントの領域に印をつけるために使用される。一旦キーを抜くと、正しいキーが再度差し込まれ、電子ペーパに電力が供給されるまで、印が付けられた領域は不透明となる。
【００４６】
他の実施の形態は複数の関係者によるセキュリティを可能とする。即ち、本実施の形態によれば、ドキュメントを閲覧するために複数のキーが必要とされる。これは、必要なコードの一部しか有していない各キーを用いることにより、或いは複数層のセキュリティスリーブを用いることにより、実施することができる。即ち、セキュリティ層を複数積層することによって、複数の関係者が存在している場合にのみ、閲覧することができるセキュリティスリーブを生成することができる。
【００４７】
即ち、各セキュリティ層は一つのキーによって作動可能とされる。しかしながら、ドキュメントを閲覧するためには、全てのセキュリティ層を透明に変える必要がある。例えば、異なる３人の人物に属しているキーに関連する三層を有するセキュリティスリーブは、彼ら全員が各自の層を開錠することに同意した場合であれば、３人のいずれかの人物によってのみ、閲覧することができる。
【００４８】
更に他の実施の形態によれば、セキュアペーパの各シートは、固有のシリアル番号（通し番号）を有するか、或いは、セキュアペーパのいくつかのグループは、キーに関連する番号を共有することができる。「施錠作業（"locking" process）」の実行中、キーはコードをセキュアペーパのシリアル番号と関連付け、セキュリティ層は不透明とされる。ページ上での「施錠」に正しいコード（正コード）を使用する場合にのみ、電源キーはセキュアペーパドキュメントのセキュリティ層を開錠するのに必要とされる電力を供給することができる。
【００４９】
中央監視システムは、所定のシステムを用いて、複数又は全部の電源キーを管理することができる。このシステムにより、キーが壊れた場合でも、データへのアクセスのロスが防止される。暗号化する場合に、電源キーは、どの開錠コードがセキュア電子ペーパ又はセキュリティスリーブのどのシートに対応するかについて、中央監視システムに通知することができる。
【００５０】
とりわけ、電源キーとセキュリティ層は共に、遮蔽される内容（コンテンツ）に関する情報を含まないので、何れもこの情報を得るために「ハッキング」されることはない。保護を強化するためには、中央監視システムも、保護されるドキュメントのコンテンツを保持しないことが提案される。
【００５１】
「施錠」を解除する方法は、セキュリティスリーブの電極に直接電力を供給するために、スリーブを切り取ったり、バイパス（迂回）したりすることを含み得る。どちらの方法もページに穴を開けることを必要とする。ドキュメントに対する明確な物理的変更は、セキュリティシールを破壊して、ドキュメントの内容が漏洩したことを明らかにすることに相当する。
【００５２】
一つの実施の形態によれば、セキュアペーパはフューズ（安全装置）を含む。フューズは、電極より外側の層間で電圧を検出した時に、その色を変化させて、誰かが電極を通さずに直接電圧を印加しようとしたことを、ドキュメントのその後のユーザに警告する。正当なユーザがキーを差し込んだ時には、フューズは施錠（lock）によってバイパスされ、色も変えない。
【００５３】
更に他の実施の形態によれば、スイッチがセキュアペーパに組み込まれ、ＩＴＯ電極に電圧を直接印加することをシャットアウトする。或いは、ＩＣ（半導体集積回路）は、電圧が検出された時にキーの有無を確認し、キーが存在していない場合には接続をシャットアウトするように、特別にプログラムされる。これらの機構は、セキュリティスリーブを、現在のスマートカード（smart card：ＩＣチップを搭載したカード）と同じくらい安全なものにする。
【００５４】
更なる実施の形態によれば、コーティングがセキュアペーパに追加され、他の攻撃の形跡を示す。このような攻撃は、電気機械的、化学的、或いは電磁気照射であり得る。また、このような攻撃が検出された時に上述したスイッチを切替える機構が追加されると、攻撃を受けても、コンテンツ層（ドキュメント層）は無傷であり、セキュリティ層は永久に不透明となる。
【００５５】
図５は、本発明の実施の形態に係るシステムの実施例を示す。コンピュータ５００は、ドキュメントデータを生成し、該ドキュメントデータを電子ペーパプリンタ５１０へ送信するために使用される。プリンタ５１０は、電子ペーパに電力を供給し、該電子ペーパ上にドキュメントの画像を形成し、これによってプリントされた電子ペーパ５２０を生成する。更に、セキュリティ機能が作動可能とされる。これにより、電子ペーパにアクセスするためにキー５３０が使用されなければ、電子ペーパ５２０の外観は不透明のままである。電子ペーパ５２０のシリアル番号とキーＩＤとに関するデータは、中央セキュリティサーバ５４０に記憶されている。キー５３０が特定のユーザに割り当てられる場合には、そのユーザのＩＤ（identity）もサーバ５４０に記憶され得る。
【００５６】
本発明の他の態様によれば、電子ペーパプリンタ５１０も、セキュリティキー５３０として作用する。即ち、セキュア電子ペーパ又はセキュリティスリーブが電子ペーパプリンタ５１０内へ差し込まれた時に、ユーザが、コンピュータ５００や電子ペーパプリンタ５１０に設けられた任意のキーパッド５３５等を介して、コードを入力してもよい。コンピュータ５００又は電子ペーパプリンタ５１０は、セキュア電子ペーパ又はセキュリティスリーブに対しコードを適用する。次に、セキュア電子ペーパ又はセキュリティスリーブ内のコーディング回路は、入力されたコードが正しいか否かを判定し、該入力されたコードが正しい場合には、セキュリティ層への電圧の印加を可能として、該セキュリティ層を透明状態に変化させる。
【００５７】
図６は、本発明の実施の形態に係るドキュメントセキュリティスリーブ６００を示す。このスリーブは、レターサイズ、大形サイズ、Ａ４サイズ等、異なるサイズのペーパに合わせて、種々のサイズにおける平坦なシート状の基体として作成され得る。セキュリティスリーブ６００は、フレーム（枠部）６０５と、セキュリティ層が透明状態にある場合に、スリーブ内に含まれるドキュメントを閲覧することを可能とする閲覧ウィンドウ（窓部）６２０と、を有する。当初、セキュリティスリーブは、ドキュメントを差し込めるように、開口又はスリットを有する。次に、この開口部が封印される（封止手段として機能する）。
【００５８】
図６に示されている実施の形態において、フレーム６０５は、会社のロゴや部署名等の予めプリントされた材料を含むプリント領域６１０を含む。また、フレーム６０５は、著者、ドキュメントを密封した人物、日付等を手書き入力するための領域を含んでいてもよい。フレーム６０５の下部領域６３０は、回路６５０への電気信号の入力や電力の供給を可能とする接触パッド６４０を含む。
【００５９】
回路６５０は、以下の特徴の一つ又は組合せを提供するように作用する：（１）パッド６４０を通して正確なセキュリティコードを受け取れない場合にセキュリティ層への電力の供給を遮断すること（換言すれば、適正なコードが受け取られた場合にセキュリティ層に電圧を印加すること）、（２）（ドキュメントが部分的に遮蔽される場合に、）セキュリティ層の透明状態となることが認められた領域への電力の供給を可能とすること、（３）シリアル番号、セキュリティレベルなどのドキュメントのメタデータを記憶すること、（４）アクセスタイム、アクセスキーＩＤなどのアクセスに関連するメタデータを記録すること。
【００６０】
明らかなように、ペーパを挿入するのに用いられる開口を設ける必要がないことを除いては、デバイスが、セキュア電子ペーパである場合にも、同様の一般的な構成が適用可能である。代わりに、電子ペーパは、セキュリティデバイスと一体的に構成されてもよい。或いは、セキュリティデバイスは、電子ペーパへの書き込みが行われた後に、電子ペーパに接着され得る。
【００６１】
電子ペーパがセキュリティデバイスと一体的に構成される場合に、パッド６４０と回路６５０は電子ペーパとセキュリティデバイスの両方に対して作用する。回路６５０は、ドイツのPolyIC GmbH&Co.KG、又はオランダのPhilipsから市販されているようなプリント回路基板の技術を用いて製造され得る。プリントされたポリマー薄膜トランジスタ（プリントされたポリマー電子回路）技術は、そのフレキシブルな特性（可とう性）を変えることなく、セキュリティスリーブにセキュリティ回路を含むことを可能にする。詳しい情報は、非特許文献７を参考にされたい。
【００６２】
以上、本発明の特定の実施の形態が本明細書中に具体的に記載されているが、本発明の精神及び範囲を逸脱することがないかぎり、多数の変更を加えることが可能であることが理解されよう。更に、明細書及びクレームの読み易さをより良好にするためだけに一定の用語が交換可能に使用されている。使用されている用語の汎用性を制限することを意図するものではなく、クレームの範囲が本明細書に記載されている実施の形態に限定されて解釈すべきではないことが理解されよう。
【図面の簡単な説明】
【００６３】
【図１】セキュアペーパのメカニズムを一般的に示す図である。
【図２】本発明の第１の実施の形態を示す断面図である。
【図３】本発明の他の実施の形態を示す図である。
【図４】従来のプリントされたペーパドキュメントを含む他の実施の形態を示す図である。
【図５】本発明の一実施の形態に係るシステムの実施例を示す図である。
【図６】本発明の一実施の形態に係るドキュメントセキュリティスリーブを示す図である。
【符号の説明】
【００６４】
１００ 粒子
１１０ 状態
１２０ 状態
１３０ 矢印
１４０ 矢印
２００ ベース層
２０５ セキュア電子ペーパ
２１０ 透明電極層（ＩＴＯ電極）
２２０ ドキュメント層
２３０ セキュリティ層
２４０ 第２のＩＴＯ電極（第２の透明電極層）
２５０ ベースフィルム層
３００ ベース層
３１０ 透明電極層（ＩＴＯ電極）
３２０ ドキュメント層
３２５ 中間ＩＴＯ層
３２６ 破線
３３０ セキュリティ層
３４０ 第２のＩＴＯ電極（第２の透明電極層）
３５０ ベースフィルム層
４００ ベース層
４０２ 背面スリーブ材料
４０４ 接着部
４０６ ペーパドキュメント
４１０  ＩＴＯ電極（透明電極層）
４３０ セキュリティ層
４４０ 第２のＩＴＯ電極（第２の透明電極層）
４５０ ベースフィルム層
５００ コンピュータ
５１０ プリンタ（電子ペーパプリンタ）
５２０ 電子ペーパ
５３０ キー（セキュリティキー）
５３５ キーパッド
５４０ サーバ（中央セキュリティサーバ）
６００ セキュリティスリーブ
６０５ フレーム
６１０ プリント領域
６２０ 閲覧ウィンドウ
６３０ 下部領域
６４０ 接触パッド
６５０ 回路
【図１】
2008139876.tif 000003
【図２】
2008139876.tif 000004
【図３】
2008139876.tif 000005
【図４】
2008139876.tif 000006
【図５】
2008139876.tif 000007
【図６】
2008139876.tif 000008